(57)【要約】【課題】操作性を向上した電子機器を提供する。【解決手段】位置検出部は操作入力を受け付けた位置を検出し、押圧検出部は位置検出部とは異なる位置への押圧による押圧値を検出し、動作判定部は押圧検出部が検出した押圧値に基づいて予め定めた複数の動作モードのうちのいずれか用いるかを判定し、表示部は位置検出部が操作入力を受け付ける範囲と機能を示す画面部品を表示し、表示制御部は動作判定部が判定した動作モードに応じた配置で前記画面部品を前記表示部に表示させる。【選択図】図３
2014153956.tif 000002
【特許請求の範囲】
【請求項１】
操作入力を受け付けた位置を検出する位置検出部と、
前記位置検出部とは異なる位置への押圧による押圧値を検出する押圧検出部と、
前記押圧検出部が検出した押圧値に基づいて予め定めた複数の動作モードのうちのいずれか用いるかを判定する動作判定部と、
前記位置検出部が操作入力を受け付ける範囲と機能を示す画面部品を表示する表示部と、
前記動作判定部が判定した動作モードに応じた配置で前記画面部品を前記表示部に表示させる表示制御部と、
を備えることを特徴とする電子機器。
【請求項２】
前記動作判定部は、前記押圧検出部が検出した押圧値が予め定めた閾値よりも低い状態から高い状態になったとき前記複数の動作モードのうち現在用いている動作モードとは異なる他の動作モードを用いると判定することを特徴とする請求項１に記載の電子機器。
【請求項３】
前記動作判定部は、前記動作モードの数は２個であって、前記動作判定部は、前記押圧検出部が検出した押圧値が予め定めた閾値よりも小さいとき、前記２個のうち一方の動作モードを用い、前記押圧検出部が検出した押圧値が前記閾値よりも大きいとき前記２個のうち他方の動作モードを用いることを特徴とする請求項１に記載の電子機器。
【請求項４】
前記表示制御部は、前記位置検出部が検出した位置から予め定めた範囲内に、前記表示部に画面部品を表示する位置の候補である表示位置候補を定め、前記位置検出部が検出した位置と前記表示部に表示された画面部品のそれぞれの位置との関係に基づいて当該それぞれの画面部品を前記定めた表示位置候補のいずれかに表示させることを特徴とする請求項１から３のいずれかに記載の電子機器。
【請求項５】
前記表示制御部は、前記位置検出部が前記操作入力を受け付けた位置が変化した方向に応じた方向に、前記位置の変化量よりも大きい変化量で前記表示させた画面部品の表示位置を変更することを特徴とする請求項４に記載の電子機器。
【発明の詳細な説明】
【技術分野】
【０００１】
本発明は、電子機器に関する。
【背景技術】
【０００２】
携帯電子機器、例えば、多機能携帯電話機やタブレット端末装置等には、画像を表示する表示装置とユーザによる操作入力を受け付ける位置入力装置（タッチセンサ）とを組み合わせたタッチパネルを備えたものがある。表示装置の画面には、キーやアイコン等の画面部品が表示されることがある。ユーザは、画面部品が表示されたタッチパネルの位置に、例えば自己の指等の操作物を接触させることで、キー入力を行い、またアイコン等を指示してインタフェースを操作することができる。
表示される画面部品の位置によっては、ユーザにとって片手で機器を操作することが困難なことがあった。例えば、ユーザの手の大きさや機器の大きさによって、画面部品とは異なる位置に自己の指を接触させることによる誤操作や、機器の持ち替えを強いられることがあった。
そこで、特許文献１に記載の携帯端末は、タッチパネルを有する携帯端末であって、タッチパネル上にキーやアイコン等の項目を配置する配置手段を有し、タッチパネル上またはタッチパネル周辺に、操作するユーザの指の位置を感知するセンサをさらに有する。配置手段は、センサで感知した操作するユーザの指の位置によって、項目を指の位置近傍に配置する。
【先行技術文献】
【特許文献】
【０００３】
【特許文献１】特開２０１０−２０６０１号公報
【発明の概要】
【発明が解決しようとする課題】
【０００４】
しかしながら、特許文献１に記載の携帯端末は、ユーザがタッチパネルの画面上の操作しやすい位置に指を置いたとき、センサによって指の位置が感知され、その位置付近にメニューアイコンを配置することがある。メニューアイコンを配置する処理は、長押し等の動作を用いてメニューアイコンを選択する動作との区別がなされる。この場合、ユーザが意図せずにタッチパネルの画面上に指を触れ続けると、指が触れた位置にメニューアイコンが配置されてしまい、操作性が損なわれることがある。
本発明は上記の点に鑑みてなされたものであり、操作性を向上した電子機器を提供する。
【課題を解決するための手段】
【０００５】
本発明は上記の課題を解決するためになされたものであり、本発明の一態様は、操作入力を受け付けた位置を検出する位置検出部と、前記位置検出部とは異なる位置への押圧による押圧値を検出する押圧検出部と、前記押圧検出部が検出した押圧値に基づいて予め定めた複数の動作モードのうちのいずれか用いるかを判定する動作判定部と、前記位置検出部が操作入力を受け付ける範囲と機能を示す画面部品を表示する表示部と、前記動作判定部が判定した動作モードに応じた配置で前記画面部品を前記表示部に表示させる表示制御部と、を備えることを特徴とする電子機器である。
【発明の効果】
【０００６】
本発明によれば、電子機器において操作性が向上する。
【図面の簡単な説明】
【０００７】
【図１】本発明の第１の実施形態に係る電子機器の外観構成を示す表面図である。
【図２】本実施形態に係る電子機器の断面図である。
【図３】本実施形態に係る電子機器の内部構成を示す概略ブロック図である。
【図４】本実施形態に係る電子機器の他の例における外観構成を示す表面図である。
【図５】本実施形態に係る電子機器のさらに他の例における外観構成を示す表面図である。
【図６】本実施形態に係る表示位置候補の一例を示す概念図である。
【図７】本実施形態に係る表示位置候補の他の例を示す概念図である。
【図８】本実施形態に係るアイコンの順序の一例を示す概念図である。
【図９】本実施形態に係るアイコンの順序の他の例を示す概念図である。
【図１０】アイコンの配置の一例を示す概念図である。
【図１１】本実施形態に係る動作判定処理を示すフローチャートである。
【図１２】本実施形態に係るアイコンの配置処理を示すフローチャートである。
【図１３】本発明の第２の実施形態に係る制御前におけるアイコンの配置の一例を示す概念図である。
【図１４】本実施形態に係る制御後におけるアイコンの配置の一例を示す概念図である。
【図１５】本発明の第３の実施形態に係る動作判定処理を示すフローチャートである。
【発明を実施するための形態】
【０００８】
（第１の実施形態）
以下、図面を参照しながら本発明の第１の実施形態について説明する。
図１は、本実施形態に係る電子機器１の外観構成を示す表面図である。
電子機器１は、押圧センサ（押圧検出部）１０１、タッチセンサ（位置検出部）１０３及び筐体（収容部）１０５を含んで構成される。電子機器１は、例えば、多機能携帯電話機（いわゆるスマートフォンを含む）、タブレット端末装置、等である。
図１に示す例では、電子機器１は、一辺の長さ（高さ）が他の一辺の長さ（幅）よりも大きい縦長の長方形の形状を有する。本実施形態では、これには限られず電子機器１は、幅が高さよりも広い横長の長方形の形状を有していてもよい。図１では、Ｘ方向は電子機器１の幅の方向を示し、Ｙ方向は電子機器１の高さの方向を示し、Ｚ方向は電子機器１の厚みの方向を示す。以下の説明では、Ｘ方向、Ｙ方向、Ｚ方向を、それぞれ右、下、厚み、と呼ぶことがある。
電子機器１の大きさは、ユーザが携帯可能であれば、いかなる大きさであってもよい。一例として、電子機器１は、概ね人間の片手で把持できる程度の大きさを有する。その場合、電子機器１は、例えば、幅は５５〜８５ｍｍ、高さは１００〜１６０ｍｍ、厚さは８ｍｍ〜２０ｍｍの範囲のいずれかの寸法を有する。厚さは、Ｚ方向の辺の長さである。
【０００９】
押圧センサ１０１は、操作物が自己に接触されることで加えられた押圧を検出し、検出した押圧値を示す押圧信号を生成する。押圧値は、押圧の大きさを示す値である。押圧センサ１０１は、例えば、加えられた押圧を電気信号に変換する圧電素子である。その場合、変換された電気信号の電圧等の信号値は、押圧値を示す。図１に示す例では、押圧センサ１０１は、一辺（長辺）の長さが他の辺の長さよりも大きい細長い形状を有し、いずれかの部位に加えられた押圧を検知する。押圧センサ１０１は、電子機器１の表面においてタッチセンサ１０３が占める領域外（外枠部）の右端に、その長辺が電子機器１の高さの方向に平行に配置される。これにより、ユーザが電子機器１を左右いずれかの手で把持する際に指や手のひら等で、外枠部の右端に加えられた押圧が検知される。
押圧センサ１０１は、生成した押圧信号を押圧検知部１１１（後述）に出力する。
【００１０】
タッチセンサ１０３は、操作物（例えば、ユーザの指）が接触した位置を検出し、検出した位置を示す位置情報（タッチ情報）を生成し、生成した位置情報をタッチセンサ情報処理部１１４（後述）に出力する。タッチセンサ１０３は、例えば、静電容量式、抵抗膜式、赤外線式、等のいずれであってもよい。タッチセンサ１０３は、ほぼ長方形の平板の形状を有し、電子機器１の表面の大部分を覆うように配置される。タッチセンサ１０３は、操作物が接触した位置を検出するために、例えば静電容量センサを備える。タッチセンサ１０３は、画像を表示する表示部１０２（後述）と一体化してタッチパネルを構成する。タッチセンサ１０３が画像を表示する領域と表示部１０２が画像を表示する領域とは、同一であってもよい。
筐体１０５は、電子機器１の各構成部を収容し、押圧センサ１０１及びタッチセンサ１０３の位置を固定する。
【００１１】
（電子機器の断面）
図２は、本実施形態に係る電子機器１の断面図である。
図２に示す断面図は、図１のＡＡ’線を通過し、ＸＹ平面に垂直な断面を示す図である。図１のＡＡ’線は、電子機器１の幅の方向に平行な線分であって、電子機器１の高さの方向の中点を通る線分である。図２では、Ｘ方向は電子機器１の幅の方向を示し、Ｚ方向は電子機器１の厚みの方向を示す。
電子機器１は、押圧センサ１０１、タッチセンサ１０３及び筐体１０５の他、さらに表示部１０２及び保護パネル（押圧伝達部）１０４を含んで構成される。
表示部１０２は、タッチセンサ１０３の裏面に設けられ、表示制御部１１５（後述）から入力された画像信号に基づく画像を表示する。表示部１０２は、例えば、液晶表示パネル、有機ＥＬ表示パネル、等である。表示部１０２が表示する画像は、透明な部材からなるタッチセンサ１０３を透かして見ることができる。
【００１２】
保護パネル１０４は、電子機器１の表面に配置され、少なくとも押圧センサ１０１及びタッチセンサ１０３の表面をそれぞれ覆うように配置されている。保護パネル１０４は、操作物と接触することによって、その表面に加えられた押圧を、裏面に接触している押圧センサ１０１、タッチセンサ１０３又はその両者に伝達する。保護パネル１０４に加えられた押圧のうち、表面から裏面への方向（Ｚの負方向）に伝達される成分が主であり、ＸＹ平面に平行に伝達される成分は比較的少ない。保護パネル１０４には、透明な部材（例えば、ポリエステル樹脂フィルム）が用いられ、表示部１０２が発する画像の光を透過する。そのため、タッチセンサ１０３が表示する画像は、保護パネル１０４の表面から視認可能であり、図１には保護パネル１０４を表示していない。なお、保護パネル１０４は、本実施形態では必須ではない。電子機器１によっては、保護パネル１０４を備えていなくてもよい。
【００１３】
（電子機器の内部構成）
次に、本実施形態に係る電子機器１の内部構成について説明する。
図３は、本実施形態に係る電子機器１の内部構成を示す概略ブロック図である。
電子機器１は、押圧センサ１０１、表示部１０２、タッチセンサ１０３及び制御部１１０を含んで構成される。制御部１１０は、押圧検知部（押圧入力部）１１１、動作判定部１１２、制御情報記憶部１１３、タッチセンサ情報処理部（位置入力部）１１４、表示制御部１１５及びアプリケーション実行部１１６を含んで構成される。
【００１４】
押圧検知部１１１は、押圧センサ１０１から入力された押圧信号を予め定めた時間間隔（例えば、２０ｍｓ）毎に検知する。押圧検知部１１１は、検知した押圧信号を動作判定部１１２に出力する。押圧検知部１１１は、検知した押圧信号についてノイズ除去処理等の処理を行い、動作判定部１１２に出力してもよい。
動作判定部１１２は、制御情報記憶部１１３から制御情報として予め定めた押圧値の閾値と動作モード情報を読み出す。動作モード情報は、複数の動作モードのいずれかを示す情報である。動作モードは、例えば、自機（電子機器１）における画面部品の配置に係る処理の形態である。画面部品は、表示部１０２に表示される表示領域への操作入力をタッチセンサ１０３等のポインティングデバイスによって受け付け可能であることを示す画像である。画面部品は、ＵＩ（Ｕｓｅｒ  Ｉｎｔｅｒｆａｃｅ）部品、ＧＵＩ（Ｇｒａｐｈｉｃ  Ｕｓｅｒ  Ｉｎｔｅｒｆａｃｅ）コンポーネントとも呼ばれ、例えば、アイコン、ボタン、リンク、等がある。動作モードの具体例については後述する。
【００１５】
動作判定部１１２は、押圧検知部１１１から入力された押圧信号が示す押圧値と、読み出した押圧値の閾値に基づいて複数の動作モードのいずれを用いるかを判定する。
動作判定部１１２は、例えば、押圧検知部１１１から入力された押圧信号が示す押圧値が、その閾値を越えたか否かを判定する。つまり、動作判定部１１２は、押圧値が、読み出した閾値よりも小さい状態から大きい状態に変化したか否かを判定する。押圧値が閾値よりも小さい状態が継続する場合や、押圧値が閾値よりも大きい状態が継続する場合には、閾値を越えていないと判定される。閾値を越えたと判定した場合には、動作判定部１１２は、複数の動作モードのうちいずれかの動作モードを用いるかを判定する。例えば、動作判定部１１２は、複数の動作モードのうち現在用いられている動作モードとは別個の動作モードを用いると判定する。ここで、動作判定部１１２は、予め定めた順序で巡回的（トグル順）に動作モードを選択してもよい。動作判定部１１２は、判定した動作モードを示す動作判定信号を生成し、生成した動作判定信号を表示制御部１１５に出力する。
【００１６】
制御情報記憶部１１３には、制御情報が予め記憶されている。制御情報は、上述のように、押圧値の閾値、複数の動作モードを含む情報である。
タッチセンサ情報処理部１１４は、タッチセンサ１０３から入力された位置情報を予め定めた時間間隔（例えば、２０ｍｓ）毎に検知し、検知した位置情報を表示制御部１１５及びアプリケーション実行部１１６に出力する。
【００１７】
表示制御部１１５には、アプリケーション実行部１１６から入力された画像信号と、動作判定部１１２からの動作判定信号が入力される。表示制御部１１５は、画面部品を示す画像信号やアプリケーション実行部１１６から入力された画像信号を表示部１０２に出力する。画面部品は、例えば、アプリケーション実行部１１６が実行するアプリケーションソフトウェア（以下、アプリケーションともいう）を示す文字、記号、模様、又はそれらの組み合わせを表すアイコンが該当する。ここで、タッチセンサ情報処理部１１４から入力された位置情報が示す位置が、表示部１０２に表示されているアイコンのいずれかの範囲に含まれることがある。以下の説明では、この状態を、「アイコンが選択された」、と呼ぶことがある。表示制御部１１５は、タッチセンサ情報処理部１１４からの位置情報の入力が停止されたとき、そのアイコンに係るアプリケーションを起動させることを指示するアプリケーション起動信号を生成し、生成したアプリケーション起動信号をアプリケーション実行部１１６に出力する。これにより、ユーザがアイコンを選択している操作物（例えば、ユーザの指等）をタッチセンサ１０３から離したときに選択が確定し、例えば、そのアイコンに係るアプリケーションが起動する。
【００１８】
表示制御部１１５は、入力された動作判定信号が示す動作モードに応じた配置で画面部品を表示部１０２に表示させる位置を制御する。以下では、主に、動作モードの数が２個であり、２個の動作モードのうちの一方が動作モード１、他方が動作モード２であって、画面部品としてアイコンを表示部１０２に表示させる場合を例にとって説明する。
入力された動作判定信号が動作モード１を示す場合、表示制御部１１５は、アイコン毎に表示部１０２の予め定められた位置に表示させる。ここで、予め定められた位置とは、例えば、そのアイコンに係るアプリケーションや、制御部１１０を動作させるオペレーティングシステム（ＯＳ：Ｏｐｅｒａｔｉｎｇ  Ｓｙｓｔｅｍ）において定められた位置である。なお、表示制御部１１５は、動作モードにかかわらず、アプリケーション実行部１１６から入力された画像信号が示す画像を表示部１０２の予め定められた位置に表示させてもよい。
【００１９】
入力された動作判定信号が動作モード２を示す場合、表示制御部１１５は、タッチセンサ情報処理部１１４から入力された位置情報が示す位置から予め定めた範囲内に、所定の規則で各アイコンを表示する位置の候補である表示位置候補を定める。表示制御部１１５は、入力された位置情報が示す位置と表示部１０２に表示させた各アイコンの位置との関係に基づいて定めた表示位置候補のいずれかに、そのアイコンを表示させる。これにより、アイコンが操作入力を受け付けた位置から予め定めた範囲内に所定の規則で配置されるため、ユーザにとって所望の機能に係るアプリケーションに関するアイコンを操作することが容易になる。表示位置候補の例や、各アイコンの順序や配置の例については後述する。
【００２０】
アプリケーション実行部１１６は、表示制御部１１５から入力されたアプリケーション起動信号に係るアプリケーションを起動させる。アプリケーション実行部１１６は、起動させているアプリケーションによっては、タッチセンサ情報処理部１１４から入力された位置情報を用いた処理を行うことや、画像信号を生成することがある。例えば、ユーザによる描画入力を受け付ける描画アプリケーションが実行される場合、アプリケーション実行部１１６は、入力された位置情報が示す位置に逐次に点画を配置して、点画の軌跡を示す画像信号を生成する。アプリケーション実行部１１６は、生成した画像信号を表示制御部１１５に出力する。
【００２１】
（押圧センサの配置例）
上述では、１個の押圧センサ１０１が電子機器１の表面の上端に配置されている場合（図１参照）を例にとって説明したが、本実施形態ではこれに限られない。押圧センサの個数、配置される位置は、図１に示した例とは異なっていてもよい。これによりユーザによって電子機器１を把持する位置や、タッチセンサ１０３への指による操作入力が困難な領域が異なることに対応することができる。
以下、押圧センサの配置例について説明する。上述と同一の構成については、同一の符号を付して説明を援用する。以下に説明する電子機器１ｂ及び１ｃが備える押圧センサの構造や特性は押圧センサ１０１と同様であってもよい。また、電子機器１ｂ及び１ｃが備えるところの、厚み方向（Ｚ方向）への押圧センサ１０１、表示部１０２、タッチセンサ１０３、保護パネル１０４及び筐体１０５の配置関係は、電子機器１（図１、２参照）と同様であるため説明を省略する。
【００２２】
図４は、本実施形態に係る電子機器の他の例（電子機器１ｂ）における外観構成を示す表面図である。図４におけるＸ方向、Ｙ方向は、図１におけるＸ方向、Ｙ方向とそれぞれ同様である。
電子機器１ｂは、電子機器１において押圧センサ１０１の代わりに２個の押圧センサ１０１ｂ−１、１０１ｂ−２を備える。押圧センサ１０１ｂ−１は、電子機器１ｂの外枠部上端に、その長辺が電子機器１ｂの幅方向に平行に配置される。押圧センサ１０１ｂ−２は、電子機器１ｂの外枠部下端に、その長辺が電子機器１ｂの幅方向に平行に配置される。押圧センサ１０１ｂ−１、１０１ｂ−２は、ユーザによる電子機器１ｂの外枠部上端又は下端への押圧を検知し、動作判定部１１２（図３）は検知された押圧値に基づいて動作モードを判定する。
【００２３】
図５は、本実施形態に係る電子機器のさらに他の例（電子機器１ｃ）における外観構成を示す表面図である。図５におけるＸ方向、Ｙ方向は、図１におけるＸ方向、Ｙ方向とそれぞれ同様である。
電子機器１ｃは、電子機器１において押圧センサ１０１の代わりに２個の押圧センサ１０１ｃ−１、１０１ｃ−２を備える。押圧センサ１０１ｃ−１は、電子機器１ｃの外枠部左端に、その長辺が電子機器１ｃの高さ方向に平行に配置される。押圧センサ１０１ｃ−２は、電子機器１ｃの外枠部右端に、その長辺が電子機器１ｃの高さ方向に平行に配置される。
押圧センサ１０１ｃ−１、１０１ｃ−２は、ユーザによる電子機器１ｃの外枠部左端、右端への押圧をそれぞれ検知し、動作判定部１１２（図３）は検知された押圧値に基づいて動作モードを判定する。
【００２４】
なお、本実施形態では押圧センサ１０１等は、電子機器１の表面であって表示部１０２やタッチセンサ１０３に占められていない位置であれば、いかなる位置、個数に配置されていてもよい。例えば、４個の押圧センサ１０１等が、電子機器１の表面の外枠部上端、右端、下端、左端のそれぞれに配置されていてもよい（図示せず）。これにより、ユーザが電子機器１を縦長の方向（縦持ち）、横長の方向（横持ち）等の様々な方向に把持した場合でも、外枠部のいずれかの辺に加えられた押圧力が検知される。
【００２５】
（表示位置候補の例）
次に、表示制御部１１５（図３）が定める表示位置候補の例について説明する。
図６は、本実施形態に係る表示位置候補の一例を示す概念図である。
図６におけるＸ方向、Ｙ方向は、図１におけるＸ方向、Ｙ方向とそれぞれ同様である。
図６は、一例として表示部１０２が４個のアイコンｉ１−ｉ４を表示し、タッチセンサ１０３が操作物としてユーザの指Ｆ１が接触する位置を検知する状態を示す。なお、図６では、押圧センサ１０１等の図示が、図面を見やすくするために省略されている。以下の図でも同様である。
この例では、アイコンｉ１は表示部１０２の左上端に、アイコンｉ２は表示部１０２の左端の下方に、アイコンｉ３はアイコンｉ２の右隣に、アイコンｉ４はアイコンｉ３の右隣に、それぞれ表示されている。この例では、４個のアイコンｉ１−ｉ４が表示されている位置は、それぞれのアイコンに係るアプリケーション又はＯＳで定められた位置である。
ユーザの指Ｆ１の指先のほぼ中央に示されている×印は、検知された指Ｆ１の領域の代表点Ｔ１である。以下の説明では、この代表点Ｔ１をタッチ位置Ｔ１と呼ぶことがある。ここで、タッチセンサ情報処理部１１４は、タッチセンサ１０３から入力された位置情報が示す指Ｆ１の領域の重心点をタッチ位置Ｔ１として算出し、算出したタッチ位置Ｔ１を示す位置情報を表示制御部１１５及びアプリケーション実行部１１６に出力することができる。
【００２６】
図６のグリッドＧ１は、予め定めた数（図６に示す例ではＸ方向に４個、Ｙ方向に４個、計１６個）の予め定めた大きさを有する四角形のセルが配列された格子状の領域であって、タッチ位置Ｔ１を中心とする領域である。表示制御部１１５は、表示部１０２にグリッドＧ１を表示してもよいし、表示しなくてもよい。グリッドＧ１の各セルの重心点が、表示位置候補である。ここで、表示制御部１１５は、タッチセンサ情報処理部１１４から入力された位置情報が示すタッチ位置Ｔ１に基づいて、表示位置候補を定める。
グリッドＧ１を形成するセルの個数、各セルの大きさは、任意に定めてもよいが、グリッドＧ１の高さ、幅が、タッチ位置Ｔ１から人間の平均的な指（例えば、親指）の大きさに基づいて、その指が届く範囲にされていてもよい。また、各セルの大きさは、１個のアイコンの平均的な大きさよりも大きくてもよいし、小さくてもよい。
【００２７】
また、表示制御部１１５（図３）は、グリッドＧ１の一部が、表示部１０２が画像を表示できる領域を超えないように、グリッドＧ１の位置を調整してもよい。例えば、タッチ位置Ｔ１から表示部１０２の右端と左端のいずれかまでの距離が、グリッドＧ１の水平方向の辺の長さの半分よりも短い場合を仮定する。この場合には、表示制御部１１５は、タッチ位置Ｔ１が表示部１０２の右端と左端のいずれかまでの距離が、グリッドＧ１の水平方向の辺の長さの半分となる位置となるようにグリッドＧ１の位置を変更する。また、タッチ位置Ｔ１から表示部１０２の上端と下端のいずれかまでの距離が、グリッドＧ１の垂直方向の辺の長さの半分よりも短い場合を仮定する。この場合には、表示制御部１１５は、タッチ位置Ｔ１が表示部１０２の上端と下端のいずれかまでの距離が、グリッドＧ１の垂直方向の辺の長さの半分となる位置となるようにグリッドＧ１の位置を変更する。
【００２８】
各セルに付されている１、２、…等の番号は、アイコンを配置する順序を示す番号である。図６に示す例では、タッチ位置Ｔ１に接する４個のセルにおいて、タッチ位置Ｔ１の左上、右上、右下、左下のセルの順序は１、２、３、４と右回りに順序付けられている。タッチ位置Ｔ１の左下のセルのさらに左隣のセルから上述の４個のセルを囲む１２個のセルにおいて、各セルの順序は５−１６と右回りに順序付けられている。この例では、タッチ位置Ｔ１の直近左側から右回りに、また、タッチ位置Ｔ１から近いセルから遠いセルに順序づけることで、セルの順序は５−１６と右回りに順序付けられている（渦巻状）。このように、表示制御部１１５は、タッチ位置Ｔ１の左側を起点として右回りに、また、タッチ位置Ｔ１から近いセルから遠いセルの順に、表示位置候補の順序を設定する。これにより、タッチ位置Ｔ１から近いセルほど、優先すべきアイコンを配置することができる。
【００２９】
上述では、表示制御部１１５（図３）は、タッチ位置Ｔ１がタッチセンサ１０３の右端が左端よりも近い場合、タッチ位置Ｔ１の左側を起点として右回りに、表示位置候補の順序を設定する場合を例にとって説明したが、本実施形態ではこれには限られない。表示制御部は、タッチ位置Ｔ１がタッチセンサ１０３の左端が右端よりも近い場合、タッチ位置Ｔ１の右側を起点として左回りに、表示位置候補の順序を設定してもよい。これにより、タッチ位置Ｔ１の左端又は右端のうち近い方から、それぞれ右回り又は左回りに優先すべきアイコンが配置される。
【００３０】
図７は、本実施形態に係る表示位置候補の他の例を示す概念図である。
図７と図６との差異は、図６においてグリッドＧ１の代わりにグリッドＧ２が示されている点である。グリッドＧ１、Ｇ２間では、それぞれのグリッドを形成する各セルに付されている番号、即ちアイコンを配置する順序を示す番号が異なる。
図７に示す例では、タッチセンサ１０３の左端と右端のうち、タッチ位置Ｔ１に近い側、つまり最右列のセルにおいて、上端のセルから下端のセルに１−４と順序付けられている。その後、順次左側に隣接する列のセルにおいて５−８、等と順序付けられている。このように、表示制御部１１５（図３）は、上端のセルから下端のセルの順に、左端と右端のうちタッチ位置Ｔ１に近い側のセルから遠い側のセルの順に表示位置候補の順序を設定する。これにより、上端のセルほど、また左端と右端のうちタッチ位置Ｔ１から近い側のセルほど、優先すべきアイコンを配置することができる。
【００３１】
（アイコンの順序の例）
次にアイコンの順序の例について説明する。
図８は、本実施形態に係るアイコンの順序の一例を示す概念図である。
図８は、図６と同様に表示部１０２が４個のアイコンｉ１−ｉ４を表示し、タッチ位置Ｔ１は、指がタッチセンサ１０３に接触している領域の代表点の位置を示す。ここで、アイコンｉ１−ｉ４のそれぞれの真下に示されている数字１−４は、それぞれのアイコンの順序を示す。この例では、表示制御部１１５は、それぞれのアイコンを、上端から下端に順序付け、左端及び右端のうちタッチ位置Ｔ１から遠い側から近い側に順序付ける。
これにより、タッチ位置Ｔ１から遠い側に表示されたアイコンほど順位が高い（即ち、順位を示す数が小さい）表示位置候補に表示されるため、操作が容易になる。
【００３２】
図９は、本実施形態に係るアイコンの順序の他の例を示す概念図である。
図９は、図６と同様に表示部１０２が４個のアイコンｉ１−ｉ４を表示し、タッチ位置Ｔ１において指がタッチセンサ１０３に接触していることが検知されたことを示す。ここで、アイコンｉ１−ｉ４のそれぞれの真下に示されている数字３、４、２、１は、それぞれのアイコンの順序を示す。この例では、表示制御部１１５（図３）は、それぞれのアイコンを、左端及び右端のうちタッチ位置Ｔ１から近い側から遠い側に順序付け、かつ同順位の場合は、上端から下端に順序付ける。これにより、左端及び右端のうちタッチ位置Ｔ１から近い側に表示されたアイコンほど順位が高い表示位置候補に表示され、アイコン全体の移動量が抑制されるため所望のアプリケーションに係るアイコンを見失うおそれが回避される。
【００３３】
なお、図８、図９に示した例において、表示制御部１１５（図３）は、それぞれのアイコンを、上端から下端に順序付ける代わりに、下端から上端に順序付けてもよい。
その他、表示制御部１１５（図３）は、タッチ位置Ｔ１からその重心点までのユークリッド距離が大きいアイコンから小さいアイコンへ順序付けてもよい。これにより、タッチ位置Ｔ１から遠い位置に表示されたアイコンほど順位が高い表示位置候補に表示されるため、操作が容易になる。
また、表示制御部１１５（図３）は、タッチ位置Ｔ１からその重心点までのユークリッド距離が小さいアイコンから大きいアイコンへ順序付けてもよい。これにより、タッチ位置Ｔ１から近い位置に表示されたアイコンほど順位が高い表示位置候補に表示されるため、これにより、タッチ位置Ｔ１から近い位置に表示されたアイコンほど順位が高い表示位置候補に表示され、アイコン全体の移動量が抑制されるため所望のアプリケーションに係るアイコンを見失うおそれが低減する。
【００３４】
（アイコンの配置の例）
次に、アイコンの配置の例について説明する。
図１０は、アイコンの配置の一例を示す概念図である。
図１０に示す４個のアイコンｉ１−ｉ４は、タッチ位置Ｔ１の左上、右上、右下、左下にそれぞれ配置されている。アイコンｉ１−ｉ４のそれぞれの近傍に付されている番号１−４は、それぞれのアイコンの順序を示す。このアイコンの順序は、図８に示されているアイコンの順序と同様であり、図６に示されている各セルの順序と同様である。即ち、図１０は、表示制御部１１５（図３）が図６の表示位置候補にそれぞれ対応する順序と合致する順序（図８）のアイコンを表示部１０２に表示させることを示す。
なお、本実施形態では、図１０に示す例に限られず、表示制御部１１５（図３）は、図６に示す表示位置候補以外の表示位置候補、例えば、図７に示す表示位置候補を用いてもよい。また、表示制御部１１５（図３）は、図８に示すアイコンの順序以外のアイコンの順序、例えば、図９に示すアイコンの順序を用いてもよい。
【００３５】
（動作判定処理）
次に、本実施形態に係る動作判定処理について説明する。但し、動作モードの初期設定が動作モード１である場合を例にとる。
図１１は、本実施形態に係る動作判定処理を示すフローチャートである。
（ステップＳ１０１）動作判定部１１２は、動作モード１を利用すると判定する。その後、ステップＳ１０２に進む。
（ステップＳ１０２）タッチセンサ情報処理部１１４は、タッチセンサ１０３から操作物が接触した位置を示す位置情報が入力されたか否かを検知する。位置情報の入力が検知された場合（ステップＳ１０２  ＹＥＳ）、ステップＳ１０４に進む。位置情報の入力が検知されなかった場合（ステップＳ１０２  ＮＯ）、ステップＳ１０３に進む。
【００３６】
（ステップＳ１０３）動作判定部１１２は、押圧検知部１１１から入力された押圧信号が示す押圧値が、予め定めた閾値よりも小さい状態から、その閾値を越えたか否かを判定する。押圧値が閾値を越えたと判定された場合（ステップＳ１０３  ＹＥＳ）、ステップＳ１０５に進む。押圧値が閾値を越えていないと判定された場合（ステップＳ１０３  ＮＯ）、ステップＳ１０２に進む。
（ステップＳ１０４）表示制御部１１５は、動作モード１に応じた配置でアイコンを表示部１０２に表示させる。表示制御部１１５は、表示させたアイコンの領域とタッチセンサ情報処理部１１４から入力された位置情報に基づいてアプリケーションの起動や、その実行による処理を制御する。その後、ステップＳ１０２に進む。
【００３７】
（ステップＳ１０５）動作判定部１１２は、動作モード２を利用すると判定する。その後、ステップＳ１０６に進む。
（ステップＳ１０６）タッチセンサ情報処理部１１４は、タッチセンサ１０３から操作物が接触した位置を示す位置情報が入力されたか否かを検知する。位置情報の入力が検知された場合（ステップＳ１０６  ＹＥＳ）、ステップＳ１０８に進む。位置情報の入力が検知されなかった場合（ステップＳ１０６  ＮＯ）、ステップＳ１０７に進む。
【００３８】
（ステップＳ１０７）動作判定部１１２は、押圧検知部１１１から入力された押圧信号が示す押圧値が、予め定めた閾値よりも小さい状態から、その閾値を越えたか否かを判定する。押圧値が閾値を越えたと判定された場合（ステップＳ１０７  ＹＥＳ）、ステップＳ１０１に進む。押圧値が閾値を越えていないと判定された場合（ステップＳ１０７  ＮＯ）、ステップＳ１０６に進む。
（ステップＳ１０８）表示制御部１１５は、動作モード２に応じた配置でアイコンを表示部１０２に表示させる。但し、動作モード２が継続する場合には、アイコンを再配置する処理を省略してもよい。表示制御部１１５は、表示させたアイコンの領域とタッチセンサ情報処理部１１４から入力された位置情報に基づいてアプリケーションの起動や、その実行による処理を制御する。その後、ステップＳ１０６に進む。
【００３９】
（アイコンの配置処理）
次に、ステップＳ１０８（図１１）において動作モード２に応じてアイコンを配置する処理について説明する。
図１２は、本実施形態に係るアイコンの配置処理を示すフローチャートである。
（ステップＳ２０１）表示制御部１１５は、タッチセンサ情報処理部１１４から入力された位置情報に基づいてタッチ位置を算出し、算出したタッチ位置を基準として予め定めた領域内で所定の間隔で表示位置候補を設定する。表示制御部１１５は、タッチ位置とそれぞれの表示位置候補との関係に基づいて当該表示位置候補の順序を設定する。その後、ステップＳ２０２に進む。
（ステップＳ２０２）表示制御部１１５は、算出したタッチ位置と表示部１０２に表示されているアイコンの位置との関係に基づいて当該アイコンの順序を設定する。その後、ステップＳ２０３に進む。
（ステップＳ２０３）表示制御部１１５は、定めた表示位置候補にそれぞれ対応する順序と合致したアイコンを配置し、その配置された位置にアイコンを表示部１０２に表示させる。その後、図１２のフローチャートの処理を終了し、ステップＳ１０６（図１１）に進む。
【００４０】
これにより、ユーザは、タッチセンサ１０３に指を接触していない場合に、電子機器１の外枠部に設置された押圧センサ１０１に加えた押圧力に基づき、動作モードを切り替えることができる。そのため、ユーザが意図せずにタッチセンサ１０３に指を接触し続けても動作モードに応じてアイコンの配置が切り替わらないため、片手による操作性が向上する。また、位置情報が入力された場合に、この位置情報に基づく処理が動作モードを判定する処理よりも優先されるため、これらの処理が互いに競合することが回避される。
【００４１】
以上に説明したように、本実施形態は、操作入力を受け付けた位置を検出し、操作入力を受け付ける領域とは異なる所定の位置で検出した押圧による押圧値に基づいて予め定めた複数の動作モードのうちのいずれか用いるかを判定する。また、本実施形態は、操作入力を受け付ける範囲と機能を示すアイコン等の画面部品を押圧値に基づいて判定した動作モードに応じた配置で表示する。そのため、ユーザは、意図せずに操作入力を行っても所定の位置に押圧を加えない限り動作モードに応じて画面部品の配置が変更しないため、操作性が向上する。
【００４２】
（第２の実施形態）
次に、本発明の第２の実施形態について説明する。上述した実施形態と同一の構成について同一の符号を付して説明を援用する。
本実施形態に係る電子機器２は、電子機器１（図３）において表示制御部１１５の代わりに表示制御部２１５（図示せず）を備え、その他の点では電子機器１と同様な構成を備える。
表示制御部２１５は、表示制御部１１５（図３）と同様な構成を備え、さらに次の処理を行う。表示制御部２１５は、位置情報が示す位置が変化した方向に応じた方向に、その位置の変化量よりも大きい変化量で、表示部１０２に表示されたアイコンの表示位置を変更させる。位置情報が示す位置が変化した方向に応じた方向とは、位置情報が示す位置が変化した方向と同一の方向であってもよいし、その変化した方向と反対の方向であってもよい。表示位置を変更する方向を位置情報が示す位置が変化した方向と同一の方向とするか否かは、ＯＳ、アプリケーション、画面部品の種類等により予め定められていてもよい。表示位置の変化率、つまり表示位置の変化量の位置情報が示す位置の変化量に対する割合も、ＯＳ、アプリケーション、画面部品の種類等により予め定められていてもよい。この処理を行う契機は、例えば、前述したアイコンを配置する処理が完了した後、又はタッチセンサ情報処理部１１４から入力された位置情報が示す位置が少なくとも予め定めた時間の閾値（例えば、０．２秒）より長い時間継続して変化する場合である。
【００４３】
そこで、ユーザが操作物をタッチセンサ１０３の表面に接触させながら移動させると（スライド動作）、操作物の位置が表示部１０２に表示されたいずれかのアイコンの範囲に含まれ、アイコンが選択されることがある。その状態で、ユーザが操作物をタッチセンサ１０３から離すと、そのアイコンの選択が確定され、例えば、そのアイコンに係るアプリケーションが起動する。
【００４４】
（表示位置の制御例）
次に、本実施形態に係るアイコンの表示位置の制御例について説明する。
図１３は、本実施形態に係る制御前におけるアイコンの配置の一例を示す概念図である。
図１３において、縦長の破線からなる矩形の領域は、アイコン群ｉｇ１を示す。アイコン群ｉｇ１には、Ｘ方向に３個、Ｙ方向に５個、計１５個のアイコンが配列されている。これらのアイコンは、それぞれ表示部１０２が表示するアイコンである。
図１４は、本実施形態に係る制御後におけるアイコンの配置の一例を示す概念図である。
図１４は、アイコン群ｉｇ１が図１３よりも右下に変位していることを示す。×印を起点とする網掛けの矢印ａｒ１は、タッチ位置Ｔ１がその起点から終点まで移動したことを示す。×印を起点とする薄く塗りつぶした矢印ａｒ２は、表示部１０２に表示されている画像がその起点から終点まで移動したことを示す。この矢印の向きと長さは、それぞれアイコン群ｉｇ１の移動方向と移動量を示す。つまり、図１４は、図１３においてタッチ位置Ｔ１から離れた位置（例えば、左上端）に表示されたアイコンを、指を移動させた移動量よりも大きく移動させることができることを示す。
【００４５】
以上に説明したように、本実施形態では操作入力を受け付けた位置が変化した方向に応じた方向に、その位置の変化量よりも大きい変化量で表示させた画面部品の表示位置を変更する。そのため、従って、指等の操作物が届かなかった位置に表示された画面部品が、その位置を操作物が届く位置に移動するため、操作性が向上する。
【００４６】
（第３の実施形態）
次に、本発明の第３の実施形態について説明する。上述した実施形態と同一の構成について同一の符号を付して説明を援用する。
本実施形態に係る電子機器３は、電子機器１（図３）において動作判定部１１２の代わりに動作判定部３１２（図示せず）を備え、その他の点では電子機器１と同様な構成を備える。
動作判定部３１２は、動作判定部１１２（図３）と同様な構成を備える。但し、動作判定部３１２は、例えば、押圧検知部１１１から入力された押圧信号が示す押圧値が、制御情報記憶部１１３から読み出した閾値よりも大きいか否かを判定する。その閾値よりも大きいと判定した場合には、動作判定部３１２は、動作モード２を用いると判定する。その閾値よりも小さいと判定した場合には、動作判定部３１２は、動作モード１を用いると判定する。
【００４７】
次に、本実施形態に係る動作判定処理について説明する。但し、動作モードの初期設定が動作モード１である場合を例にとる。
図１５は、本実施形態に係る動作判定処理を示すフローチャートである。
本実施形態に係る動作判定処理は、図１１に示す動作判定処理においてステップＳ１０３、Ｓ１０７の代わりに、ステップＳ３０３、Ｓ３０７を有する。ここで、ステップＳ１０２において、位置情報の入力が検知されなかった場合（ステップＳ１０２  ＮＯ）、ステップＳ３０３に進む。
【００４８】
（ステップＳ３０３）動作判定部３１２は、押圧検知部１１１から入力された押圧信号が示す押圧値が、予め定めた閾値よりも大きいか否かを判定する。押圧値が閾値よりも大きいと判定された場合（ステップＳ３０３  ＹＥＳ）、ステップＳ１０５に進む。押圧値が閾値よりも大きくないと判定された場合（ステップＳ３０３  ＮＯ）、ステップＳ１０２に進む。そして、ステップＳ１０６において、位置情報の入力が検知されなかった場合（ステップＳ１０６  ＮＯ）、ステップＳ３０７に進む。
（ステップＳ３０７）動作判定部３１２は、押圧検知部１１１から入力された押圧信号が示す押圧値が、予め定めた閾値よりも小さいか否かを判定する。押圧値が閾値よりも小さいと判定された場合（ステップＳ３０７  ＹＥＳ）、ステップＳ１０１に進む。押圧値が閾値よりも小さくないと判定された場合（ステップＳ３０７  ＮＯ）、ステップＳ１０６に進む。
【００４９】
なお、電子機器３は、表示制御部１１５の代わりに上述した表示制御部２１５（図示せず）を備えてもよい。
また、動作判定部３１２は、ステップＳ３０３で動作モード１を用いている状態から動作モード２を用いることを判定するための閾値１と、ステップＳ３０７で動作モード２を用いている状態から動作モード１を用いることを判定するための閾値２とが異なっていてもよい。例えば、閾値１は閾値２よりも大きくてもよい。これにより、動作モード１から動作モード２への切り替えよりも、動作モード２から動作モード１への切り替えが容易になる。これにより、ユーザが誤って押圧を加えた場合でも通常用いられる動作モード１が用いられる可能性が高くなるため、操作性が損なわれることが回避される。
【００５０】
上述したように、本実施形態では、押圧値が閾値よりも大きいとき、動作モード２が用いられ、押圧値が閾値ほど大きくないとき、動作モード１が用いられる。これにより、ユーザが操作入力を受け付ける領域とは異なる所定の位置に押圧したか否かにより、動作モード２を用いるか動作モード１を用いるかが制御されるので操作性が向上する。
【００５１】
（変形例）
上述した実施形態では、動作モード２に応じてアイコンを配置する処理（図１２）において、表示制御部１１５、２１５は、表示位置候補に各アイコンの代表点（例えば、重心点）に配置するため、アイコンの大きさに関わらず各アイコンが配置される。ここで、それぞれアイコンが配置されている互いに隣接する表示位置候補の間隔よりも、それぞれのアイコンの方が大きい場合には、その隣接するアイコンが重複することがある。その場合には、表示制御部１１５、２１５は、アイコンが重複する領域について、その順序が高い方のアイコンを優先して表示してもよい。また、表示制御部１１５、２１５は、その領域が選択された場合には、その順序が高い方のアイコンが選択されたと判定してもよい。
【００５２】
上述した実施形態では、表示制御部１１５、２１５は、各アイコンの位置を起点から終点まで漸次変化させてもよい（アニメーションでの遷移）。起点は、動作モード２に応じてアイコンを配置する処理（図１２）を行う前における各アイコンの位置であり（図１３）、終点は、その処理を行った後における各アイコンの位置である（図１４）。そこで、表示制御部１１５、２１５は、例えば、各アイコンについて起点から終点までの間を予め定めたフレーム数（例えば、１２）で等分した等分点を算出する。表示制御部１１５、２１５は、起点に近い順に前回のフレームにおける等分点（但し、初期において起点）とは隣接する等分点（但し、最後のフレームでは終点）にそれぞれのアイコンを配置した画像をフレーム毎に生成し、生成した画像を表示部１０２に表示させる。
上述した実施形態では、画面部品として主にアイコンを用いる場合を例にとって説明したが、アイコンに限られず、ボタン、リンク、その他の画面部品を用いてもよい。
【００５３】
なお、本発明に係る電子機器は、以下の態様でも実施することができる。
（１）操作入力を受け付けた位置を検出する位置検出部と、前記位置検出部とは異なる位置への押圧による押圧値を検出する押圧検出部と、前記押圧検出部が検出した押圧値に基づいて予め定めた複数の動作モードのうちのいずれか用いるかを判定する動作判定部と、前記位置検出部が操作入力を受け付ける範囲と機能を示す画面部品を表示する表示部と、前記動作判定部が判定した動作モードに応じた配置で前記画面部品を前記表示部に表示させる表示制御部と、を備えることを特徴とする電子機器。
【００５４】
（２）前記動作判定部は、前記押圧検出部が検出した押圧値が予め定めた閾値よりも低い状態から高い状態になったとき前記複数の動作モードのうち現在用いている動作モードとは異なる他の動作モードを用いると判定することを特徴とする（１）の電子機器。
【００５５】
（３）前記動作判定部は、前記動作モードの数は２個であって、前記動作判定部は、前記押圧検出部が検出した押圧値が予め定めた閾値よりも小さいとき、前記２個のうち一方の動作モードを用い、前記押圧検出部が検出した押圧値が前記閾値よりも大きいとき前記２個のうち他方の動作モードを用いることを特徴とする（１）の電子機器。
【００５６】
（４）前記表示制御部は、前記位置検出部が検出した位置から予め定めた範囲内に、前記表示部に画面部品を表示する位置の候補である表示位置候補を定め、前記位置検出部が検出した位置と前記表示部に表示された画面部品のそれぞれの位置との関係に基づいて当該それぞれの画面部品を前記定めた表示位置候補のいずれかに表示させることを特徴とする（１）から（３）のいずれかの電子機器。
【００５７】
（５）前記表示制御部は、前記位置検出部が前記操作入力を受け付けた位置が変化した方向に応じた方向に、前記位置の変化量よりも大きい変化量で前記表示させた画面部品の表示位置を変更することを特徴とする（４）の電子機器。
【００５８】
（６）操作入力を受け付けた位置を検出する位置検出部と、前記位置検出部とは異なる位置への押圧による押圧値を検出する押圧検出部とを備える電子機器における情報処理方法であって、前記押圧検出部が検出した押圧値に基づいて予め定めた複数の動作モードのうちのいずれか用いるかを判定する動作判定過程と、前記動作判定過程で判定した動作モードに応じた配置で、前記位置検出部が操作入力を受け付ける範囲と機能を示す画面部品を表示部に表示させる表示制御過程とを有することを特徴とする情報処理方法。
【００５９】
（７）操作入力を受け付けた位置を検出する位置検出部と、前記位置検出部とは異なる位置への押圧による押圧値を検出する押圧検出部とを備える電子機器のコンピュータに、前記押圧検出部が検出した押圧値に基づいて予め定めた複数の動作モードのうちのいずれか用いるかを判定する動作判定手順、前記動作判定手順で判定した動作モードに応じた配置で、前記位置検出部が操作入力を受け付ける範囲と機能を示す画面部品を表示部に表示させる表示制御手順、を実行させるための情報処理プログラム。
【００６０】
上述した（１）、（６）又は（７）によれば、ユーザは、意図せずに操作入力を行っても所定の位置に押圧を加えない限り動作モードに応じて画面部品の配置が変更しないため、操作性が向上する。
上述した（２）によれば、所定の位置に押圧を新たに加えることで画面部品の配置を変更することができる。
上述した（３）によれば、所定の位置に押圧を加えるか否かにより２種類の画面部品の配置のうちいずれかを切り替えることができる。
上述した（４）によれば、操作入力を行った位置から予め定めた範囲内に、その位置と画面部品の位置との関係に基づいて所定の規則に基づいてそれぞれの画面部品が配置されるため、画面部品への操作が容易になる。
上述した（５）によれば、操作物が届かなかった位置に表示された画面部品が、その位置を操作物が届く位置に移動するため、操作性が向上する。
【００６１】
なお、上述した実施形態における電子機器１、１ｂ、１ｃ、２、３の一部、例えば、押圧検知部１１１、動作判定部１１２、３１２、タッチセンサ情報処理部１１４、表示制御部１１５、２１５及びアプリケーション実行部１１６をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、電子機器１、１ｂ、１ｃ、２、３のいずれかに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における電子機器１、１ｂ、１ｃ、２、３の一部、または全部を、ＬＳＩ（Ｌａｒｇｅ  Ｓｃａｌｅ  Ｉｎｔｅｇｒａｔｉｏｎ）等の集積回路として実現してもよい。電子機器１、１ｂ、１ｃ、２、３の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６３】
１、１ｂ、１ｃ、２、３…電子機器、
１０１、１０１ｂ−１、１０１ｂ−２、１０１ｃ−１、１０１ｃ−２…押圧センサ、
１０２…表示部、１０３…タッチセンサ、１０４…保護パネル、１０５…筐体、
１１０…制御部、１１１…押圧検知部、１１２、３１２…動作判定部、
１１３…制御情報記憶部、１１４…タッチセンサ情報処理部、
１１５、２１５…表示制御部、１１６…アプリケーション実行部
【図１】
2014153956.tif 000003
【図２】
2014153956.tif 000004
【図３】
2014153956.tif 000005
【図４】
2014153956.tif 000006
【図５】
2014153956.tif 000007
【図６】
2014153956.tif 000008
【図７】
2014153956.tif 000009
【図８】
2014153956.tif 000010
【図９】
2014153956.tif 000011
【図１０】
2014153956.tif 000012
【図１１】
2014153956.tif 000013
【図１２】
2014153956.tif 000014
【図１３】
2014153956.tif 000015
【図１４】
2014153956.tif 000016
【図１５】
2014153956.tif 000017